【手続補正書】
【提出日】平成28年11月14日(2016.11.14)
【手続補正１】
【補正対象書類名】特許請求の範囲
【補正対象項目名】全文
【補正方法】変更
【補正の内容】
【特許請求の範囲】
【請求項１】
基部と、
平面視で前記基部の一端側から第１方向に延出している振動腕と、
平面視で前記基部の他端側に配置されている接続部と、
平面視で前記基部と前記接続部との間に位置し、前記基部と前記接続部とを連結している連結部と、
を含み、
前記振動腕の厚さをＴ、
前記基部の前記第１方向と交差する第２方向に沿った幅をＷ１、
前記連結部の前記第２方向に沿った幅をＷ２としたとき、
１１０μｍ≦Ｔ≦２１０μｍ
を満足するとともに、
０．４６９≦Ｗ２／Ｗ１≦０．８７１
を満足していることを特徴とする振動片。
【請求項２】
請求項１において、
１３０μｍ≦Ｔ≦２１０μｍ
を満足していることを特徴とする振動片。
【請求項３】
基部と、
平面視で前記基部の一端側から第１方向に延出している振動腕と、
平面視で前記基部の他端側に配置されている接続部と、
平面視で前記基部と前記接続部との間に位置し、前記基部と前記接続部とを連結している連結部と、
を含み、
前記振動腕の厚さをＴ、
前記基部の前記第１方向と交差する第２方向に沿った幅をＷ１、
前記連結部の前記第２方向に沿った幅をＷ２としたとき、
１５０μｍ≦Ｔ≦２１０μｍ
を満足するとともに、
０．２６８≦Ｗ２／Ｗ１≦０．３３５
を満足していることを特徴とする振動片。
【請求項４】
請求項１ないし３のいずれか１項において、
前記接続部は、前記第２方向に沿って延出し、
前記接続部に接続され、前記第１方向に沿って延出している支持腕を含むことを特徴とする振動片。
【請求項５】
請求項１ないし４のいずれか１項において、
前記振動腕は、
錘部と、
平面視で、前記基部と前記錘部との間に配置されている腕部と、
を含むことを特徴とする振動片。
【請求項６】
請求項１ないし５のいずれか１項において、
前記振動腕の互いに表裏の関係にある第１主面および第２主面の少なくとも一方には、溝が設けられていることを特徴とする振動片。
【請求項７】
請求項１ないし６のいずれか１項に記載の振動片と、
前記振動片が搭載されているパッケージと、
を備えていることを特徴とする振動子。
【請求項８】
請求項１ないし６のいずれか１項に記載の振動片と、
回路と、
を備えていることを特徴とする発振器。
【請求項９】
請求項１ないし６のいずれか１項に記載の振動片を備えていることを特徴とする電子機器。
【請求項１０】
請求項１ないし６のいずれか１項に記載の振動片を備えていることを特徴とする移動体。
【手続補正２】
【補正対象書類名】明細書
【補正対象項目名】発明の名称
【補正方法】変更
【補正の内容】
【発明の名称】振動片、振動子、発振器、電子機器および移動体
【手続補正３】
【補正対象書類名】明細書
【補正対象項目名】０００１
【補正方法】変更
【補正の内容】
【０００１】
本発明は、振動片、振動子、発振器、電子機器および移動体に関するものである。
【手続補正４】
【補正対象書類名】明細書
【補正対象項目名】０００５
【補正方法】変更
【補正の内容】
【０００５】
本発明の目的は、振動特性および耐衝撃性の両方に優れた振動片、並びに、この振動片を備える信頼性の高い振動子、発振器、電子機器および移動体を提供することにある。
【手続補正５】
【補正対象書類名】明細書
【補正対象項目名】０００６
【補正方法】変更
【補正の内容】
【０００６】
本発明は、上述の課題の少なくとも一部を解決するためになされたものであり、以下の適用例として実現することが可能である。
［適用例１］
本適用例の振動片は、基部と、
平面視で前記基部の一端側から第１方向に延出している振動腕と、
平面視で前記基部の他端側に配置されている接続部と、
平面視で前記基部と前記接続部との間に位置し、前記基部と前記接続部とを連結している連結部と、
を含み、
前記振動腕の厚さをＴ、
前記基部の前記第１方向と交差する第２方向に沿った幅をＷ１、
前記連結部の前記第２方向に沿った幅をＷ２としたとき、
１１０μｍ≦Ｔ≦２１０μｍ
を満足するとともに、
０．４６９≦Ｗ２／Ｗ１≦０．８７１
を満足していることを特徴とする。
これにより、振動特性および耐衝撃性の両方に優れた振動片を提供することができる。
【手続補正６】
【補正対象書類名】明細書
【補正対象項目名】０００７
【補正方法】変更
【補正の内容】
【０００７】
［適用例２］
本適用例の振動片では、１３０μｍ≦Ｔ≦２１０μｍ
を満足していることが好ましい。
これにより、振動特性および耐衝撃性の両方により優れた振動片を提供することができる。
【手続補正７】
【補正対象書類名】明細書
【補正対象項目名】０００８
【補正方法】変更
【補正の内容】
【０００８】
［適用例３］
本適用例の振動片は、基部と、
平面視で前記基部の一端側から第１方向に延出している振動腕と、
平面視で前記基部の他端側に配置されている接続部と、
平面視で前記基部と前記接続部との間に位置し、前記基部と前記接続部とを連結している連結部と、
を含み、
前記振動腕の厚さをＴ、
前記基部の前記第１方向と交差する第２方向に沿った幅をＷ１、
前記連結部の前記第２方向に沿った幅をＷ２としたとき、
１５０μｍ≦Ｔ≦２１０μｍ
を満足するとともに、
０．２６８≦Ｗ２／Ｗ１≦０．３３５
を満足していることを特徴とする。
これにより、振動特性および耐衝撃性の両方に優れた振動片を提供することができる。
【手続補正８】
【補正対象書類名】明細書
【補正対象項目名】０００９
【補正方法】変更
【補正の内容】
【０００９】
［適用例４］
本適用例の振動素子では、前記接続部は、前記第２方向に沿って延出し、
前記接続部に接続され、前記第１方向に沿って延出している支持腕を含むことが好ましい。
これにより、例えば、支持腕を介して振動片をベースに固定することができ、この固定部と振動腕との離間距離（振動伝搬距離）を長くすることができる。そのため、振動片の振動漏れを効果的に低減することができる。
【手続補正９】
【補正対象書類名】明細書
【補正対象項目名】００１０
【補正方法】変更
【補正の内容】
【００１０】
［適用例５］
本適用例の振動片では、前記振動腕は、
錘部と、
平面視で、前記基部と前記錘部との間に配置されている腕部と、
を含むことが好ましい。
これにより、振動片の小型化と振動特性の向上を図ることができる。
［適用例６］
本適用例の振動片では、前記振動腕の互いに表裏の関係にある第１主面および第２主面の少なくとも一方には、溝が設けられていることが好ましい。
これにより、振動特性を向上させることができる。
【手続補正１０】
【補正対象書類名】明細書
【補正対象項目名】００１１
【補正方法】変更
【補正の内容】
【００１１】
［適用例７］
本適用例の振動子は、本適用例の振動片と、
前記振動片が搭載されているパッケージと、
を備えていることを特徴とする。
これにより、信頼性の高い振動子が得られる。
【手続補正１１】
【補正対象書類名】明細書
【補正対象項目名】００１２
【補正方法】変更
【補正の内容】
【００１２】
［適用例８］
本適用例の発振器は、本適用例の振動片と、
回路と、
を備えていることを特徴とする。
これにより、信頼性の高い発振器が得られる。
【手続補正１２】
【補正対象書類名】明細書
【補正対象項目名】００１３
【補正方法】変更
【補正の内容】
【００１３】
［適用例９］
本適用例の電子機器は、本適用例の振動片を備えていることを特徴とする。
これにより、信頼性の高い電子機器が得られる。
［適用例１０］
本適用例の移動体は、本適用例の振動片を備えていることを特徴とする。
これにより、信頼性の高い移動体が得られる。